(57)【特許請求の範囲】
【請求項１】
方形のベースパネルと、４つの側壁と、頂部パネルと、ボックス内に荷物を保持するための物置き台コンポーネントとからなる解体式の物置き台ボックスにおいて、
各側壁がベースパネルから延びる下側の側壁パネルと、上側の側壁パネルとからなり、
上側の側壁パネルは、上側および下側の側壁パネルでボックスの側壁を形成し、そのボックス内に荷物をしまい込むために物置き台コンポーネントを起立させることのできる、起立した荷物のしまい込み位置と、頂部パネルおよび上側の側壁パネルが、ベースパネルおよび下側の側壁パネルと共同し、折りたたみ状態にて物置き台コンポーネントをしまい込むことのできる閉鎖したサブボリュームを限定するサブボックスであり、該サブボックスの側壁は下側の側壁パネルのみによって形成されるものであるサブボックスを提供する、折りたたまれた物置き台しまい込み位置と、の間で下側の側壁パネルに対して移動可能であり、
３つの下側の側壁パネルは３つの上側の側壁パネルにヒンジ結合されかつそれらはサブボックスの頂部の一部を提供する折りたたみ位置に折りたたむことができ、
第４番目の正面の上側の側壁パネルは、ボックスをローディングおよびアンローディングするためのアクセス開口を限定するために第４番目の正面の下側の側壁パネルから分離可能であり、
第４番目の下側の側壁パネルはベースパネルにヒンジ結合され、かつローディング傾斜路を構成する下げられた位置と、サブボックスを提供するために隣接した下側の側壁パネルにクリップ留めされる上側の位置の間を動くことができることを特徴とする解体式の物置きボックス。
【請求項２】
第４番目の上側の側壁パネルはＬ形クリップによって隣接した側壁パネルに着脱自在に据え付けることができることを特徴とする請求項１に記載の解体式の物置き台ボックス。
【請求項３】
頂部パネルは自由端をもつＬ形クリップによって少なくとも幾つかの側壁に着脱自在にクリップ留めされ、前記自由端は上側の側壁の縁に向かって形成された対応する据え付けスロット内に位置し、対応する据え付けスロットがボックスが折りたたまれた物置き台しまい込み位置にあるときＬ形クリップの自由端を受け入れるために下側側壁パネル中に形成されていることを特徴とする請求項１又は２に記載の解体式の物置き台ボックス。
【請求項４】
Ｌ形クリップは頂部パネル上に担持されたドロップアウエイクリップを含み、ドロップアウエイクリップは端壁を限定するこれらの対向する上側側壁パネル中に限定された対応する据え付けスロットに着脱自在に据え付けることができて、後部の上側の側壁パネルと端壁パネルが起立した位置にあるときアクセス開口に対向する有効な後部の上側の側壁パネル上に頂部パネルがピギーバックされるようになしたことを特徴とする請求項３に記載の解体式の物置き台ボックス。
【請求項５】
頂部パネルは、起立状態にあるときボックスのための側部・頂部パネルサブ組立体を形成するために第４番目の上側の側壁パネルにヒンジ結合され、前記側部・頂部パネルサブ組立体は、折りたたみ状態に折りたたむことができ、かつボックス内の起立した物置き台コンポーネントからの荷物のオンローディングおよびオフローディングを容易になすために、３つの起立した上側の側壁パネルから除去できることを特徴とする請求項３又は４に記載の解体式の物置き台ボックス。
【請求項６】
頂部パネルは第４番目の上側の側壁パネルの上縁に向かって形成された対応する据え付けスロットに掛合するＬ形クリップによって第４番目の上側の側壁パネルに着脱自在に据え付けられることを特徴とする請求項３又は４に記載の解体式の物置き台ボックス。
【請求項７】
第４番目の上側の側壁パネルはＬ形のドロップアウエイクリップを備え、このクリップは対向する上側の端壁パネル中に限定された対応する据え付けスロットに着脱自在に据え付け可能であって、後部の上側の側壁パネルと端壁パネルが起立位置にあるとき、第４番目の正面の上側の側壁パネルが有効な後部の上側の側壁パネルにピギーバックされるようになしていることを特徴とする請求項３又は４に記載の解体式の物置き台ボックス。
【請求項８】
第４番目の上側の側壁パネルが後部の起立した上側の側壁パネルと頂部パネルの間に挟まれるように配置されることを特徴とする請求項４又は７に記載の解体式の物置き台ボックス。
【請求項９】
該ボックスが折りたたまれた物置き台しまい込み位置にあるとき、第４番目の上側の側壁パネル上に担持されたＬ形クリップの自由端を受け入れるために、対応する据え付けスロットが下側の側壁パネル中に形成されることを特徴とする請求項３、４、６、７および８の何れか1項に記載の解体式の物置き台ボックス。
【請求項１０】
該ボックスが折りたたまれた物置き台しまい込み位置にあるとき、 第４番目の上側の側壁パネルが、折りたたまれた下にある上側の端壁パネルと上にある蓋パネルの間に挟まれるよう配置されることを特徴とする請求項９に記載の解体式の物置き台ボックス。
【請求項１１】
物置き台コンポーネントの少なくとも幾つかのものはベースパネルに着脱自在に据え付けることができ、物置き台コンポーネントを起立位置に据え付けるためにベースパネルが物置き台位置決め用および据え付け用の形成体を形成されていることを特徴とする請求項１から１０の何れか1項に記載の解体式の物置き台ボックス。
【請求項１２】
物置き台コンポーネントの少なくとも幾つかのものがベースパネルまたは側壁パネルにヒンジ結合されており、物置き台コンポーネントが起立した物品しまい込み状態と、それらがサブボックス内に収容されている折りたたまれたまたは分解された状態の間を動くことができることを特徴とする請求項１から１１の何れか1項に記載の解体式の物置き台ボックス。
【請求項１３】
閉鎖したサブボリュウムの内部高さを越えて突出しない物置き台コンポーネントまたはその部品はベースパネルに永続的に据え付けられることを特徴とする請求項１から１２の何れか1項に記載の解体式の物置き台ボックス。
【請求項１４】
下側の側壁パネルの少なくとも幾つかのものはＬ形クリップによってベースパネルに着脱自在にクリップ留めされることを特徴とする請求項１から１３の何れか1項に記載の解体式の物置き台ボックス。
【請求項１５】
ベースパネルは、複数のパレットブロック上にベースパネルを支持する複数の滑り板を含むベースパレット組立体の一部を形成し、滑り板は位置決め手段を含み、頂部パネルは、起立したボックスとサブボックスの両方が整列した外郭をなしてお互いに上下に積み重ねられるようになすために補完形の位置決め手段を含むことを特徴とする請求項１から１４何れか1項に記載の解体式の物置き台ボックス。
【請求項１６】
位置決め手段が、頂部パネルの有効な外面に取り付けられた滑りボスと、滑り板の下面に限定された補完形のボス−位置決め凹所とからなることを特徴とする請求項１５に記載の解体式の物置き台ボックス。
【請求項１７】
有効な正面の下側の側壁パネルと、対向する有効な後部の下側の側壁パネルが、折りたたまれた位置にあるとき介在する上側の側壁パネルを支持するために支持ブロックを嵌着されており、正面と後部の下側の側壁パネルは、後部の下側の側壁パネルが介在する上側の側壁パネル上に折りたたまれるようになすための、少なくとも介在する下側の側壁パネルより高いパネル厚さをもつことを特徴とする請求項１から１０の何れか1項に記載の解体式の物置き台ボックス。
【発明の詳細な説明】
【０００１】
発明の背景
本発明は再使用可能の解体式の物置き台ボックスに関するものである。
【０００２】
再使用可能の解体式のボックスは自動車両部品の如き物品を運搬するために長らく使用されてきた。物品を起立したボックス内に保護して確保するために、物置き台(stillage)と荷敷(dunnage)または詰め物(padding)が慣例的に使用されている。空のボックスがそれらの目的地に送り返されたとき、１つのボックスは、その物置き台と荷敷の両方を、例えば折りたたまれた１０個の他のボックスと関連する物置き台および荷敷と一緒に、入れるように、起立した状態に保たれる。この実施法は幾つかの問題点を生じる。多数のボックスと関連する個々の物置き台および荷敷素子を単一の起立したボックス内にローディングすることは追加の労力を必要とし、かつ個々の物置き台および荷敷素子のトラック(track)を保ち続けることを困難にする。分離したボックスと関連する素子は、ごっちゃにされる傾向があり、その結果、それらの分離したセットに内に保持されるとき程には気持ちよく適合しない傾向となる。
【０００３】
（発明の要約）
本発明によれば、方形のベースパネルと、４つの側壁と、頂部パネルと、ボックス内に荷物を保持するための物置き台コンポーネントとからなる解体式の物置き台ボックスにおいて、各側壁がベースパネルから延びる下側の側壁パネルと、上側の側壁パネルとからなり、上側の側壁パネルは、上側および下側の側壁パネルでボックスの側壁を形成し、そのボックス内に荷物をしまい込むために物置き台コンポーネントを起立させることのできる、起立した荷物のしまい込み位置と、頂部パネルおよび上側の側壁パネルが、ベースパネルおよび下側の側壁パネルと共同し、折りたたみ状態にて物置き台コンポーネントをしまい込むことのできる閉鎖したサブボリュームを限定するサブボックスであり、該サブボックスの側壁は下側の側壁パネルのみによって形成されるものであるサブボックスを提供する、折りたたまれた物置き台しまい込み位置と、の間で下側の側壁パネルに対して移動可能であり、３つの下側の側壁パネルは３つの上側の側壁パネルにヒンジ結合されかつそれらはサブボックスの頂部の一部を提供する折りたたみ位置に折りたたむことができ、第４番目の正面の上側の側壁パネルは、ボックスをローディングおよびアンローディングするためのアクセス開口を限定するために第４番目の正面の下側の側壁パネルから分離可能であり、第４番目の下側側壁パネルはベースパネルにヒンジ結合され、かつローディング傾斜路を構成する下げられた位置と、サブボックスを提供するために隣接した下側の側壁パネルにクリップ留めされる上側の位置の間を動くことができることを特徴とする解体式の物置きボックスが提供される。
【０００４】
便利には、第４番目の上側の側壁パネルはＬ形クリップによって隣接した側壁パネルに着脱自在に据え付けることができる。
【０００５】
有利には、頂部パネルは自由端をもつＬ形クリップによって少なくとも幾つかの側壁に着脱自在にクリップ留めされ、前記自由端は上側の側壁の縁に向かって形成された対応する据え付けスロット内に位置し、対応する据え付けスロットはボックスが折りたたまれた物置き台しまい込み位置にあるときＬ形クリップの自由端を受け入れるために下側側壁パネル中に形成されている。
【０００６】
Ｌ形クリップは頂部パネル上に担持されたドロップアウエイクリップを含み、ドロップアウエイクリップは端壁を限定するこれらの対向する上側側壁パネル中に限定された対応する据え付けスロットに着脱自在に据え付けることができて、後部の上側の側壁パネルと端壁パネルが起立した位置にあるときアクセス開口に対向する有効な後部の上側の側壁パネル上に頂部パネルがピギーバックされるようになす。
【０００７】
本発明の１形態では、頂部パネルは、起立状態にあるときボックスのための側部・頂部パネルサブ組立体を形成するために第４番目の上側の側壁パネルにヒンジ結合され、前記側部・頂部パネルサブ組立体は、折りたたみ状態に折りたたむことができ、かつボックス内の起立した物置き台コンポーネントからの荷物のオンローディングおよびオフローディングを容易になすために、３つの起立した上側の側壁パネルから除去することができる。
【０００８】
本発明の別の好適形態では、頂部パネルは第４番目の上側の側壁パネルの上縁に向かって形成された対応する据え付けスロットに掛合するＬ形クリップによって第４番目の上側の側壁パネルに着脱自在に据え付けられる。
【０００９】
好適には、第４番目の上側の側壁パネルはＬ形のドロップアウエイクリップを備え、このクリップは対向する上側の端壁パネル中に限定された対応する据え付けスロットに着脱自在に据え付け可能であって、後部の上側の側壁パネルと端壁パネルが起立位置にあるとき、第４番目の正面の上側の側壁パネルが有効な後部の上側の側壁パネルにピギーバックされるようになしている。
【００１０】
便利には、該ボックスが折りたたまれた物置き台しまい込み位置にあるとき、第４番目の上側の側壁パネル上に担持されたＬ形クリップの自由端を受け入れるために、対応する据え付けスロットが下側の側壁パネル中に形成される。
【００１１】
典型的には、該ボックスが折りたたまれた物置き台しまい込み位置にあるとき、第４番目の上側の側壁パネルが、折りたたまれた下にある上側の端壁パネルと上にある蓋パネルの間に挟まれるよう配置される。
【００１２】
好適には、物置き台コンポーネントの少なくとも幾つかのものはベースパネルに着脱自在に据え付けることができ、物置き台コンポーネントを起立位置に据え付けるためにベースパネルが物置き台位置決め用および据え付け用の形成体を形成されている。
【００１３】
物置き台コンポーネントの少なくとも幾つかのものもまた、または代案として、ベースパネルまたは側壁パネルにヒンジ結合されており、物置き台コンポーネントが起立した物品しまい込み状態と、それらがサブボックス内に収容されている折りたたまれたまたは分解された状態の間を動くことができる。
【００１４】
典型的には、閉鎖したサブボリュウムの内部高さを越えて突出しない物置き台コンポーネントまたはその部品はベースパネルに永続的に据え付けられる。
【００１５】
便利には、下側の側壁パネルの少なくとも幾つかのものはＬ形クリップによってベースパネルに着脱自在にクリップ留めされる。
【００１６】
好適には、ベースパネルは、複数のパレットブロック上にベースパネルを支持する複数の滑り板を含むベースパレット組立体の一部を形成し、滑り板は位置決め手段を含み、頂部パネルは、起立したボックスとサブボックスの両方を整列した外郭をなしてお互いに上下に積み重ねられるようになすために補完形の位置決め手段を含む。
【００１７】
有利には、位置決め手段が、頂部パネルの有効な外面に取り付けられた滑りボスと、滑り板の下面に限定された補完形のボス−位置決め凹所とからなる。
【００１８】
典型的には、有効な正面の下側の側壁パネルと、対向する有効な後部の下側の側壁パネルが、折りたたまれた位置にあるとき介在する上側の側壁パネルを支持するために支持ブロックを嵌着されており、正面と後部の下側の側壁パネルは、後部の下側の側壁パネルが介在する上側の側壁パネル上に折りたたまれるようになすための、少なくとも介在する下側の側壁パネルより高いパネル厚さをもつ。
用語、“物置き台コンポーネント”は、ボックス内で荷物を支持しかつ衝撃を緩衝するために使用されるすべての再使用可能な物置き台および荷敷コンポーネントを意味する。
【００１９】
（実施例の説明）
図１、２につき説明すれば本発明の解体式の物置き台(stillage)ボックス１０は一連の平行なブロックまたは台１８を介して３つの平行な滑り板(skid plank)１６上に支持された方形のベースパネル１４をもつベースパレット１２を含む。４つの側壁組立体はベースパレット上に支持されていて、小さい方の対向する側壁組立体２０、２２と、大きい方の対向する側壁組立体２４、２６を含む。小さい方の端壁組立体２０、２２は夫々下側の端壁パネル２７、２８と、上側の端壁パネル２９、３０を含み、これらの上側の端壁パネルはヒンジ３２の対によって下側の端壁パネル２７、２８にヒンジ結合されている。側壁組立体２４は同様に、ヒンジ３８によって上側の側壁パネル３６に接合された下側の側壁パネル３４を含む。ヒンジ３２、３８は内方に突出する突起部で終端し、本願出願人の同時係属の南アフリカ特許出願第９９／００４４号に開示されているものに類似している。これらのヒンジは側壁パネルと端壁パネルの内面に配置されており、上側端壁パネル２９、３０と上側側壁パネル３６を内方へ折りたたむことができるように配置される。側壁組立体２６は下側の側壁パネル４０と、分離した上側の側壁パネル４２を含み、この側壁パネル４２は分離した頂部・側壁パネル４５を形成するようにヒンジ４３で頂部パネル４４にヒンジ結合されている。
【００２０】
下側の側壁パネルと端壁パネルのすべてはベースパネル上に支持されたドロップアウエイ(drop-away)クリップ４６によって着脱自在にベースパネル１４に連結される。このクリップについては本出願人の同時係属の南アフリカ特許出願第９９／００４４号に詳細に記載されている。コーナークリップ４８は下側端壁パネルと側壁パネルの側面を一緒に保持し、同様に、コーナークリップ４８Ａ、４８Ｂは上側端壁パネルと側壁パネルを一緒に保持する。細長いインサート５１は上側側壁パネルに取り付けられて、上側端壁パネルを起立状態に保持するための外側さねはぎ部(rebates)５１Ａを提供する。
【００２１】
頂部パネル４４は同様にドロップアウエイクリップ５２を取り付けられ、このクリップの自由端は上側端壁パネルと側壁パネル２８、３０、３６の上縁に向けて配置された補完形スロット５４内に配置される。
【００２２】
図１に示す閉鎖された起立状態で、解体式ボックスは図２に５６で破線輪郭で示される形式の自動車両の側部パネルを運搬するのに使用される。パネルは物置き台５８上に並置して配置される。図４から明らかな如く、物置き台５８は横バー６６、６８によって一緒に連結された３つの垂直なフレーム部材６０、６２、６４を含む。木製のフレーム部材の各々は各々のベース板材７０、７２、７４を含み、これらの板材から合い釘７６が突き出ており、これらの合い釘はベースパネル１４内に延びる補完形ソケットインサート７８内に位置する。フレーム部材の各々は垂直ポスト８０Ａ、８０Ｂ、８０Ｃで形成され、これらのポストから各々水平の棚(rack)部材８２Ａ、８２Ｂ、８２Ｃが延びている。８４Ａ、８４Ｂ、８４Ｃで示す細部から明らかな如く、各棚部材はきちんとした補完形嵌合状態で車両の側部パネル５６の異なったセクションを収容するために異なった輪郭に造られる。物置き台は逆転可能であって、左または右のパネルをアンローディングするために起立位置で収容できるように、フレーム部材上の合い釘をインサート７８上で入れ替えることができる。
【００２３】
着脱可能の垂直ポスト８６は着脱可能のピン８８によってフレーム部材６２、６４の開放端に嵌合される。これらのピンは合わせ孔８９と、孔あきブラケット８９Ａを通して延びる。横部材６６と６８は同様に、ピン８８と、孔８９を備えていて、これらの横部材が合わせ目穴−取り付け台９０間の取り付け場所から取り除かれ得るようになされている。フレーム部材６２、６４はまた、着脱自在の頂部横部材９２を備え、これらの横部材は同様に、ピン・孔あきブラケット装置を用いて所定位置に取り付けられる。
【００２４】
図２乃至６Ｂは図１の起立した閉鎖されたボックスを図７の折りたたまれた閉鎖されたサブボックス(sub-box)に変換するのに必要とされるステップを明瞭に示す。図１の起立した閉鎖されたボックスはフォークリフトコンベヤを用いて車両組み立てプラント内の適切な場所へ運ばれる。滑り板はキャスター輪を取り付けられて、積まれた解体式のボックスをプラント内のそれらの正確な位置へ操縦していくのを助けるようになすことができる。図２に明示される如く、側壁・頂壁組立体４５は次いで、ドロップアウエイクリップ５２とコーナークリップ４８Ａを外すことによって取り除かれる。これらのコーナークリップは上側側壁パネル４２を上側端壁パネル２９、３０に着脱自在に接合するものである。図３から明らかな如く、側壁・頂壁組立体４５を作っている側壁と頂壁パネル４２、４４は次いで一緒に折りたたまれ、その後、コーナークリップ４８Ｂが外された後、ドロップアウエイクリップ５２が以前クリップ４８Ｂによって占められていた垂直スロット９４内に配置される。その結果、側壁・頂壁組立体４５は上側側壁パネル３６の外面上に有効にピギーバックされる(piggy-backed)。取り除かれたコーナークリップ４８Ａ、４８Ｂはベースパネル１５上に置かれ、そして着脱自在の垂直ポスト８６と、頂部横部材９２はベースパネル１４の床上に同様にしまい込まれる。ボックスのアンローディングとローディングを助けるために、下側の側部パネル４０はベースパネルから外されて、傾斜路として役立つ９６の破線輪郭で示された位置へ動かされることができる。この場合、ベースパネルに対して下側の側壁パネル４０を保持するベースクリップ４６はヒンジと取り換えることができる。
【００２５】
図５を参照すれば、アンローディングが完了した後、物置き台を作っている種々のフレームコンポーネント(compornents)が孔あきインサート７８から外され、図５に示した手法でベースパネル１４の床上に平らに置かれる。その後、頂部端壁パネル２９、３０は矢印９８の方向に内方に図６Ａの位置へ折りたたまれ、そして上側の側壁パネル３６は矢印９９の方向に下方へ図６Ｂの位置へ上側の端壁パネル２９の頂部上に折りたたまれる。十分な折りたたみ隙間を準備するために、側壁組立体２４上の折りたたみ線１００は側壁組立体２０、２２上の折りたたみ線１０２よりパネル厚さ以上高い位置にある。上側の側壁パネルと端壁パネルが折りたたまれる前に側壁２４から外された側壁・頂壁組立体４５は、次いで折りたたまれた上側側壁パネル３６の頂部上に置かれ、その際ドロップアウエイクリップ５２の自由端は、種々の分解された解き放された緩い物置き台とクリップコンポーネントがしまい込まれる容積を限定する単一のクランプされたサブボックスを造るように、下側の端壁パネル２７、２８内に設けられた上側の水平スロット１０４内に配置される。
【００２６】
積み重ねを容易にするために、ナイロンの滑りこぶ１０６が頂部パネル４４の外面に取り付けられる。これらの滑りこぶ１０６は滑り板１６の外側コーナー内に置かれた補完形凹所（図示せず）内に位置するよう設計される。
【００２７】
ボックスと物置き台の組み立て、物置き台のローディング、その後の組み立てられたボックスの閉鎖は、図７から図１に至る種々のステップに従って、解体の手順と正確に逆の手法で行われる。
【００２８】
図８乃至１１は解体式の物置き台ボックス１１０の第２の改良実施例を示す。同様のコンポーネントはＡを付した同じ数字で示されており、２つの実施例間に存在する差に関して本質的に説明されている。物置き台コンポーネントは一対の起立した鋼製の据え付けブラケット１１２、１１４を含み、これらのブラケットは夫々の鋼製据え付けパネル１１６、１１８にヒンジ結合される。据え付けパネルは次いで、ベースパネル１５Ａ上にしっかりねじ止めされる。据え付けブラケット１１２、１１４はゴム製荷敷パッド１２０を被せられ、横バー１２２がブラケット１１２に１２４の個所で枢着される。横バー１２２の反対端は保持ピン１２５によって据え付けブラケット１１４に連結される。適切に形作られた物置き台ストリップ１２６が主物置き台組立体の対向する両側でベースパネル１４Ａにねじ止めされる。上記の特定の物置き台および荷敷パッドは一連の自動車両の床パネルを支持するために使用される。
【００２９】
下側の側壁パネル３４Ａと、下側の端壁パネル２７Ａ、２８Ａはすべて、前述の手法でクリップ４６Ａによってベースパネル１４Ａにクリップ留めされる。クリップ４６Ａはドロップアウエイクリップとすることができ、または代案としてベースパネルから分離可能とすることができる。正面の下側の側壁パネル４０Ａは、ドロップアウエイローディングフラップ(drop-away loading flap)を提供するように、ヒンジ１２８によってベースパネル１４Ａにヒンジ結合される。上側の側壁パネル３６Ａと、隣接する上側の端壁パネル２９Ａ、３０Ａは同様に、夫々の下側の側壁パネルと端壁パネルにヒンジ結合される。上側側壁パネル３６Ａの対向する両端にねじ止めされた保持ストリップ１３０は開放位置に上側の端壁パネル２９Ａ、３０Ａを保持するために役立つ。支持ブロック１３２は対向する下側の端壁パネルにねじ止めされ、折りたたまれた状態にあるとき上側の端壁パネル２９Ａ、３０Ａを支持するように下側の端壁パネルの幅にわたって延びている。支持ブロック１３４Ａは同様に、折りたたまれとき、上側端壁パネル２９Ａ、３０Ａを支持するために下側の側壁パネル３４Ａにねじ止めされる。下側の側壁パネル３４Ａは下側の側壁パネル２７Ａより、側部ストリップ１３０の厚さに関連して、上側側壁パネル３６Ａのパネル厚さだけ高くなっており、その結果、上側の側壁パネル３６Ａはパネルヒンジ３８Ａに過度の歪みを加えることなしに、上側端壁パネル２９Ａ、３０Ａ上に水平に折りたたまれることができるようになされる。
【００３０】
上側の正面の側壁パネル１３６は頂部または蓋パネル４４Ａから分離でき、小さい側縁はドロップアウエイクリップ１３８の対を嵌合されている。図８の開放したローディング・アンローディング位置にあるとき、上側の正面壁パネル１３６と頂壁パネル４４Ａは図９の細部に示す手法で上側の後部の側壁パネル３６Ａ上にピギーバックされる(piggy-backed)。上側の正面壁パネル１３６のドロップアウエイクリップ１３８の突起部付きの端は上側の端壁パネル２９Ａ、３０Ａの正面縁に向いて形成された対応する垂直スロット１４０内に位置する。同様にドロップアウエイクリップ５２Ａを嵌合された蓋パネル４４Ａは、上側の正面壁パネル１３６上に据え付けられて、対向する下側のドロップアウエイクリップ５２Ａが夫々の上側の端壁パネル２９Ａ中に形成された対応する垂直スロット１４２中に位置している。頂部パネル４４Ａの追加の支持は蓋パネルの内面にねじ止めされたフックブロック１４４によって提供され、このフックブロックは蓋パネルを所定位置に確保するのを助けるため図９の細部に示す手法で側壁パネル３６Ａの上縁を越えて延びている。着脱自在のコーナークリップ４８Ａは上側の側壁パネル３６Ａを端壁パネル２９Ａ、３０Ａに連結し、同様のコーナークリップ４８は下側の端壁パネルおよび側壁パネルを直立状態に保持する。
【００３１】
閉鎖した起立した状態で、上側の正面の側壁パネル１３６は下側の正面の側壁パネル４０Ａ上に載って、ドロップアウエイクリップ１３８が上側端壁パネル２９Ａ、３０Ａの正面縁に向かって位置した対応するスロット１４６内に位置している。側壁パネルと端壁パネルの上縁を越えて蓋パネルを位置させるのを助けるために外周さねはぎ部(rebate)１４８を形成された蓋パネル４４Ａは、次いで所定位置に置かれる。ドロップアウエイクリップ５２Ａは蓋パネル４４Ａの対向する端縁と後部側縁を巡って延びて、上側の端壁と側壁パネルに形成された対応する水平スロット５４Ａ内に位置して、蓋パネル４４Ａの正面側縁が着脱自在のクリップによって上側の正面壁パネル１３６に取り付けられる。
【００３２】
ボックスがアンローディングされた後、それは先ず、すべての物置き台コンポーネントが下側の側壁と端壁の最小高さより低くなる折りたたみ位置に支持ブラケット１１２、１１４を折りたためるように、横バー１２２のピンを外して解体される。下側の正面側壁パネル４０Ａは直立位置に折りたたまれ、隣接した端壁パネルにクリップ留めされ、その後上側の端壁パネル２９Ａ、３０Ａが折りたたまれ、その後、蓋パネル４４と上側の正面側壁パネル１３６がクリップを外された後、上側の側壁パネル３６Ａが折りたたまれる。
【００３３】
図１１の細部から明らかな如く、上側の正面側壁は次いで、後部の上側側壁パネル３６Ａに隣接した積み重ね位置にクリップ留めされて、ドロップアウエイクリップ１３８が下側の端壁パネル２７Ａ、２８Ａ中に限定された対応するスロット１５０内に位置するようになす。その後、蓋パネル４４Ａが所定位置にクリップ留めされて、ドロップアウエイクリップ５２Ａと着脱自在のクリップ４８が下側の端壁パネルと側壁パネル中に形成された対応するスロット１５２内に位置するようになす。解体されたボックス１１０の積み重ねは第１実施例のものと同じであって、滑りこぶ１０６は滑り板１６の下面に形成された対応する凹所１５４（図９を参照）内に収められる。
【００３４】
物置き台と荷敷(dunnage)コンポーネントはボックス内にしまい込まれる物品に依存して、任意の形状をとることができる。物置き台ストリップ１２６の場合と同様に、起立したときに閉鎖されたサブボリュウム(sub-volume)より低い任意の物置き台または荷敷をベースパネルに永続的に固定することができる。上述の実施例では、しまい込まれる物品は自動車両のパネルの形をなし、物置き台、荷敷、並びにボックスの大きさ全体はドアパネル、ボンネットパネル、ブーツパネル、床パネル等の如き異なったパネル形式を受け入れるために適用される。或る一定の形状では、第４番目の上側側壁パネルは、ローディングとアンローディングの目的で頂部パネルと関連して除去される小さい着脱自在の端壁パネルの形をなしている。
【００３５】
可能な場合には、ドロップアウエイクリップはパネルを起立した状態、積み重ねられた状態かつ半開放状態で保持するために利用される。ドロップアウエイクリップは特に解体された外郭と干渉する傾向がある場合には、これらは、解体されたボックスがそれらの荷物ローディング地へ送り戻されたとき物置き台および荷敷と共にサブボリュウム中にしまい込まれている着脱自在のクリップと交換される。
【図面の簡単な説明】
【図１】本発明の第１実施例の解体式のボックスを閉鎖した起立状態で示す上面斜視図である。
【図２】開放した状態で示す図１の解体式のボックスの上面斜視図である。
【図３】アンローディングの直前にある開放した起立状態にある図２の解体式のボックスの上面斜視図である。
【図４】ベースパレットおよび物置き台の分解斜視図である。
【図５】物置き台をしまい込み状態にしている開放した起立した状態にあるボックスを示す上面斜視図である。
【図６Ａ】解体式のボックスを解体した位置に折りたたんでいる状態を示す上面斜視図である。
【図６Ｂ】解体式のボックスを解体した位置に折りたたんだ状態で示す上面斜視図である。
【図７】完全に解体された位置にある解体式のボックスの積み重ね体を示す図である。
【図８】ローディングおよびアンローディングの準備のできた開放位置にある本発明の解体式の物置き台ボックスの第２実施例を示す上面斜視図である。
【図９】矢印９方向に見た図８のボックスの詳細側面図である。
【図１０】完全に解体された位置にある図８のボックスの上面斜視図である。
【図１１】図１０の矢印１１方向に見た解体式のボックスのコーナーの詳細上面斜視図である。
【図１】
0004154150.tif 000002
【図２】
0004154150.tif 000003
【図３】
0004154150.tif 000004
【図４】
0004154150.tif 000005
【図５】
0004154150.tif 000006
【図６Ａ】
0004154150.tif 000007
【図６Ｂ】
0004154150.tif 000008
【図７】
0004154150.tif 000009
【図８】
0004154150.tif 000010
【図９】
0004154150.tif 000011
【図１０】
0004154150.tif 000012
【図１１】
0004154150.tif 000013